(57)【要約】【課題】本発明は、着用した場合、十分な弾力性を有する上、枢着部やレンズ部側のブラケットにも無理な力が加わることがないように捻れ対応できるテンプル、及びそのテンプルを備えるメガネを提供する。【解決手段】  レンズ部に対する枢着部（３）と耳当て部（２）との間に弾圧部を有するメガネ用のテンプル（Ａ）であって、該弾圧部（１）が複数の線状アーチ部（１１）を備えており、これらが互いに並んでいるテンプルの構成である。【選択図】図１
2010041465.tif 000002
【特許請求の範囲】
【請求項１】
レンズ部に対する枢着部と耳当て部との間に弾圧部を有するメガネ用のテンプルであって、該弾圧部が複数の線状アーチ部を備えており、これらが互いに並んでいることを特徴とするテンプル。
【請求項２】
前記弾圧部が第１線状アーチ部と、該第１線状アーチ部よりも曲率の小さい第２線状アーチ部とよりなり、これらが互いに並んでいることを特徴とする請求項１記載のテンプル。
【請求項３】
前記第１線状アーチ部が複数の第１子線状アーチを備え、前記第２線状アーチ部が複数の第２子線状アーチを備えていることを特徴とする請求項２記載のテンプル。
【請求項４】
第２線状アーチ部の数よりも前記第１線状アーチ部の数が１つ多いことを特徴とする請求項２記載のテンプル。
【請求項５】
前記第１線状アーチ部が複数個平行に並び、同様に第２線状アーチ部も複数個平行に並んでいることを特徴とする請求項２記載のテンプル。
【請求項６】
前記第１線状アーチ部の間に第２線状アーチ部が配設されていることを特徴とする請求項２記載のテンプル。
【請求項７】
前記子線状アーチ同士の結合する部分である結合基部が球形に形成されていることを特徴とする請求項３記載のテンプル。
【請求項８】
前記線状アーチ部の断面の形状が円形、または矩形であることを特徴とする請求項１記載のテンプル。
【請求項９】
前記複数の線状アーチ部が中央部で一体に結合されていることを特徴とする請求項１記載のテンプル。
【請求項１０】
上記請求項１〜９のいずれか一項に記載されているテンプルを備えるメガネ。
【発明の詳細な説明】
【技術分野】
【０００１】
本発明はメガネの一部品であるテンプルに関する。
【背景技術】
【０００２】
一般的なメガネのフレームにあってはフルリムタイプのものや、ハーフリムタイプが存在する。
そして、それらの左右のレンズを取り付けるリムには、着用者の頭部の側部に当接し、メガネの位置を固定するためのテンプルが、リムに対して内方に回動可能に取り付けられている。【０００３】
上記のように構成されているメガネフレームにあっては、最大拡開状態となったテンプルで着用者の頭部（詳しくは側頭面）の耳部付近を挟んで圧を加え、その位置を固定する。
このとき、着用者の使用中に強い締め付けや或いは逆の緩過ぎる締め付けを感じないように、主にテンプルを無理に屈曲して開き度合いを変えることにより、テンプルの頭部に対する圧を調節する。【０００４】
しかしながら、一般的なテンプルの材料は、屈曲性があまり高くない合成樹脂や金属であるため、テンプルの開き度合いによる圧の調整には限界がある。
そのため、弾力性が十分に出なく、良好な着用者のソフトタッチな装着感が得られない。【０００５】
このような問題を解決するために、テンプルとブラケットとの間に弾性部材を配置し、この弾性部材を弾性的に屈曲させることにより、側頭面に適度な大きさの圧を与えるメガネフレームが開発された（特許文献１参照）。【０００６】
また別の形態のメガネフレームとして、特許文献２に記載されているように、テンプル（ツル）の内部に芯金部が設けられたものもある。
この芯金部は一部がＬ型に屈折しているため、弾力性のある屈曲が可能となり、この発明のテンプルは着用者に対して適度な側圧を加えることができる。
【先行技術文献】
【特許文献】
【０００７】
【特許文献１】特開２００７−３２２６０７号公報
【特許文献２】実用新案登録第３０９５０８２号公報
【発明の概要】
【発明が解決しようとする課題】
【０００８】
上述した特許文献に記載されたメガネフレームに備えられたテンプルは、着用者の側頭面に対して垂直な方向には所定の大きさの圧を加えることができる。
ところが人間の側頭面は平坦ではなく、上下方向及び前後方向にある角度を有しているため、側頭面に対して垂直な方向にテンプルが当たっても、片当たりしてしまい、その結果、分力が発生しテンプルには捻れ方向の力が生じることとなる。
しかし、テンプルがそれを吸収するように捻れるように対応しないので、結果的にこの捻れ力はテンプルの枢着部に伝わり回動抵抗を生む。
或いは枢着部を介してレンズ部側のブラケットにも無理な力が加わることとなる。
このような傾向は、テンプルの幅が広いほど大きい。【０００９】
一方、テンプルは耳当て部の部分で耳に掛けられて固定されるが、耳当て部は下側と内側に立体的に湾曲した形状であることから、耳に掛けられた状態ではテンプルにやはり捻れ力が発生し、上述したと同様なことから枢着部やレンズ部側のブラケットにも無理な力が加わることとなる。【００１０】
本発明は以上の課題を解決すべく開発されたものである。
すなわち、着用した場合、十分な弾力性を有する上、枢着部やレンズ部側のブラケットにも無理な力が加わることがないように捻れ対応できるテンプル、及びそのテンプルを備えるメガネを提供することを目的とする。
【課題を解決するための手段】
【００１１】
本発明者は、以上のような課題背景をもとに鋭意研究を重ねた結果、テンプルの一部である弾圧部を複数本の線材で構成することで上記の課題を解決できることを見出し、その知見に基づいて本発明を完成させたものである。【００１２】
すなわち、本発明は、（１）、レンズ部に対する枢着部と耳当て部との間に弾圧部を有するメガネ用のテンプルであって、該弾圧部が複数の線状アーチ部を備えており、これらが互いに並んでいるテンプルに存する。【００１３】
また本発明は、（２）、前記弾圧部が第１線状アーチ部と、該第１線状アーチ部よりも曲率の小さい第２線状アーチ部とよりなり、これらが互いに並んでいる上記（１）記載のテンプルに存する。【００１４】
また本発明は、（３）、前記第１線状アーチ部が複数の第１子線状アーチを備え、前記第２線状アーチ部が複数の第２子線状アーチを備えている上記（２）記載のテンプルに存する。【００１５】
また本発明は、（４）、第２線状アーチ部の数よりも前記第１線状アーチ部の数が１つ多い上記（２）記載のテンプルに存する。【００１６】
また本発明は、（５）、前記第１線状アーチ部が複数個平行に並び、同様に第２線状アーチ部も複数個平行に並んでいる上記（２）記載のテンプルに存する。【００１７】
また本発明は、（６）、前記第１線状アーチ部の間に第２線状アーチ部が配設されている上記（２）記載のテンプルに存する。【００１８】
また本発明は、（７）、前記子線状アーチ同士の結合する部分である結合基部が球形に形成されている上記（３）記載のテンプルに存する。【００１９】
また本発明は、（８）、前記線状アーチ部の断面の形状が円形、または矩形である上記（１）記載のテンプルに存する。【００２０】
また本発明は、（９）、前記複数の線状アーチ部が中央部で一体に結合されている上記（１）記載のテンプルに存する。【００２１】
また本発明は、（１０）、上記（１）〜（９）のいずれか一項に記載されているテンプルを備えるメガネに存する。【００２２】
なお、本発明の目的に添ったものであれば上記の発明を適宜組み合わせた構成も採用可能である。
【発明の効果】
【００２３】
本発明のメガネ用テンプルが備える弾圧部は、複数の線状アーチ部を備えており、これらが互いに並んでいる。
そのためテンプルの捻れ方向に弾力性が発現し、テンプルに発生する捻り方向の無理な力が吸収される
また本発明のメガネ用テンプルが備える弾圧部は、曲率の異なる二種類の線材（第１線状アーチ部及び第２線状アーチ部）を複数本、並んで配置してなる。
その結果、このテンプルは線状アーチ部の形状によって曲げ弾力性の度合いを異にすることができる。
更に捻れ方向に弾力性が発現し、テンプルに発生する捻り方向の無理な力が吸収される。
そのため捻れ力はテンプルの枢着部やレンズ部側のブラケットに伝わらない。【００２４】
また、上記アーチ部を複数本の短い線材（子線状アーチ）を結合して構成することによっても、アーチ部の弾力性を変化させることができる。
従って、アーチ部の曲率と併せて子線状アーチの本数を変えることで、側頭面に加わる圧の大きさの異なったテンプルを提供することができる。【００２５】
また、複数本の子線状アーチからなるアーチ部は、子線状アーチが鉄やアルミ等の弾力性が高くない材料で形成されていても超弾性特性材料と同等、またはそれ以上の弾力性を発揮することが可能である。
【図面の簡単な説明】
【００２６】
【図１】図１は、本実施形態のテンプルを備えたメガネの全体を示す斜視図である。
【図２】図２は、本実施形態のテンプルの平面図である
【図３】図３は、本実施形態のテンプルの正面図である。
【図４】図４は、本実施形態のテンプルが捻じれる前後の状態を示す説明図であり、図４（Ａ）は捻じれる前を示し、図４（Ｂ）は捻じれた後を示す。
【図５】図５は、本実施形態のテンプルの湾曲前後の状態を示す説明図であり、図５（Ａ）は湾曲前を示し、図５（Ｂ）は湾曲後を示す。
【図６】図６は、線状アーチ部の数を変えた場合の弾圧部の主な構成パターン例を模式的に示す図である。  図６（Ａ）は、第１線状アーチ部が一本と第２線状アーチ部が一本とが互いに平行に並べられたパターン、図６（Ｂ）は、二本の第１線状アーチ部と一本の第２線状アーチ部とが交互に配設されたパターン、図６（Ｃ）は三本の第１線状アーチ部と二本の第２線状アーチ部とがそれぞれ交互に配設されたパターンを示す。
【図７】図７は、線状アーチ部の材料を変えた場合の弾圧部の主な構成パターン例を模式的に示す図である。  図７（Ａ）は、第１線状アーチ部の材料と、第２線状アーチ部の材料とを互いに異にしたパターンを示し、図７（Ｂ）は、一部の第１子線状アーチのみ材料を異にしたパターンを示す。
【図８】図８は、別の実施形態のテンプルの平面図である
【図９】図９は、別の実施形態のテンプルの正面図である。
【発明を実施するための形態】
【００２７】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２８】
（第１の実施形態）
図１は、本実施形態のテンプルを備えたメガネの全体を示す斜視図である。
図に示すように、本実施形態のテンプルＡは、レンズ部Ｂに対する枢着部と耳当て部２との間に弾圧部１を有するメガネ用のテンプルであって、該弾圧部１が複数の線状アーチ部１１を備えている。各線状アーチ部１１は、互いに間隔を置いて（すなわち空間を介して）配設されている。
テンプルＡはこの弾圧部１を備えることにより、テンプルＡと側頭面との接触面（具体的には耳当て部２と側頭面のこめかみ周辺）に圧を加えてメガネの位置を的確に固定することができる。
テンプルＡはレンズ部Ｂ、具体的にはレンズの両端部に設けられたブラケットＢ１に回動自在に枢着され、またテンプルＡの後端部には頭への固定力を高めるための耳当て部２が取り付けられている。
レンズ部Ｂに対する枢着部３と耳当て部２との間に弾圧部１は位置している。
【００２９】
図２は、本実施形態のテンプルの平面図であり、図３は、本実施形態のテンプルの正面図である。
図２及び図３に示すように、弾圧部１は金属製の線材である第１線状アーチ部１１と第２線状アーチ部１２とがそれぞれ間隔を置いて複数本並んで配置されている。
また第１線状アーチ部１１と第２線状アーチ部１２は一定の間隔を置いて配設された取り付け基部２Ａと取り付け基部２Ｂの間に架設されている。
換言すると第１線状アーチ部１１や第２線状アーチ部１２の両端は取り付け基部２Ａ及び取り付け基部２Ｂとなっている。
そして、各線状アーチ部を構成する子線状アーチは、図でいう鉛直方向にそれぞれ湾曲した状態となっている。
【００３０】
このように、取り付け基部２Ａ、２Ｂの間に複数本の線材が架設されてなる弾圧部１は、空間部が多くなるため、この弾圧部１と同じ幅の金属板と比べた場合、金属板よりも捻れ方向の弾力性が高くなり（すなわち捻れ易くなり）、且つ曲げ方向の弾力性も高くなる（すなわち曲がり易くなる）。
【００３１】
弾圧部１が複数本の線材で構成されることによって各線材の全体が束となり、捻れ方向の大きな弾力性が生まれる。
図４に示すように、テンプルＡを捻った際に、この弾圧部１のところにおいて各線材が束となって全体的に捻じれる〔図４（Ａ）→図４（Ｂ）〕。
【００３２】
捻れ方向の弾力性が高くなることによって、テンプルＡは側頭面の形状に的確に対応することができる。
このため、テンプルＡが着用者の側頭面に当接した際に発生する捻じれ方向の無理な力が、この屈曲変形によって吸収される。
従って、テンプルＡとブラケットＢ１との結合部である枢着部３や、ブラケットＢ１には無理な力が伝わり難い。
また、テンプルＡ（詳しくは弾圧部１）が捻れて変形すると、変形後の形状は着用者の側頭面の形状にほぼ沿ったものとなるため、側頭面に対して均等に側圧が加わる。
その結果、メガネの装着感が良くなるのである。
【００３３】
一方、曲げ方向の弾力性が高くなることで、メガネが装着されたときに、図５に示すように、弾圧部１は容易にアーチ状に大きく湾曲することが可能となる〔図５（Ａ）→図５（Ｂ）〕。側頭面にソフトにタッチすることができるのである。
【００３４】
弾圧部１は第１線状アーチ部１１及び第２線状アーチ部１２の曲率（湾曲度合い）の異なる二種類の線材からなっており、第１線状アーチ部１１の曲率は第２線状アーチ部１２の曲率よりも大きくなっている。
【００３５】
弾圧部１の捻れ方向の弾力性、及び曲げ方向の弾力性は、取り付ける第１線状アーチ部１１及び第２線状アーチ部１２の本数、各線状アーチ部の曲率を変えることにより、細かく調節することができる。
例えば、線状アーチ部の本数を増やすと各方向とも弾力性は低くなり曲げにくく且つ捻り難くなり、逆に線状アーチ部の本数を減らすと弾力性は大きくなり曲げやすく且つ捻り易くなる。
また、線状アーチ部の曲率を大きくするとテンプルＡの可動範囲は大きくなり、逆に線状アーチ部の曲率を小さくするとテンプルＡの可動範囲は小さくなる。
なお、弾圧部１を構成するためには、少なくとも、第１線状アーチ部１１及び第２線状アーチ部１２が各一本ずつ必要となる。
【００３６】
従って、これらを適切に選択することで、着用者の側頭面に対して締め過ぎず、且つ緩過ぎない最適な大きさの接圧を加えることができる。
テンプルＡが、頭の形状に即して変形し、従来のメガネよりも心地よい装着感が得られる。
【００３７】
このとき、第１線状アーチ部１１の間に第２線状アーチ部１２が配設されるように、第１線状アーチ部１１と、第２線状アーチ部１２とを交互に配設することが好ましい。
第１線状アーチ部１１と第２線状アーチ部１２とを交互に配設することで弾圧部１の弾力性に偏りがなくなる。
【００３８】
また、弾圧部１を形成する際は、第１線状アーチ部１１と第２線状アーチ部１２とは等間隔で配設されることが好ましい。
しかし敢えて間隔を変えて配置することにより捻れ方向の弾力性に異方性を与えることができる。
すなわち、テンプルＡに捻れ易い方向と捻れ難い方向とが現れる。
【００３９】
さらに、弾圧部１を構成する第１線状アーチ部１１及び第２線状アーチ部１２のそれぞれの取り付け本数は特に限定されるものではないが、第２線状アーチ部１２の本数よりも第１子線状アーチ１１の本数を一本多くすることで、第１線状アーチ部１１よりも曲率の小さい第２線状アーチ部１２（凹凸が大きい）を内側に配置できる。
【００４０】
第１線状アーチ部１１及び第２線状アーチ部１２断面形状は特に限定されるものではなく、円形、矩形、三角形、楕円等の断面形状を有する線材の使用が可能である。
断面形状によって、各方向に対する弾力性も変化するため、アーチ部の本数等だけでなく断面形状も同時に考慮することで、より適切な接圧を実現することができる。
【００４１】
ところで、弾圧部１の弾力性は線状アーチ部の構成を変更することでも変えることができる。
本実施形態の第１線状アーチ部１１は図１に示したように、複数本の第１子線状アーチ１１Ａで構成されており、また第２線状アーチ部１２も同様に複数本の第２子線状アーチ１２Ａで構成されている。
第１線状アーチ部１１及び第２線状アーチ部１２をこのような形状にして、湾曲させながら取り付け基部に取り付けることで、超弾性特性材料以外の材料で成形された鉄やアルミ等のアーチ部であっても、超弾性特性と同等若しくはそれを超える弾力性を付与できる。
【００４２】
子線状アーチ同士は、溶接、ろう付等により結合されるが、その結合部分である結合基部Ｐの形状は、限定されない。
ただ、肌への接触感の観点から球形が好ましいが、装飾性の観点からは、円柱、長円球、立方体等の採用も可能である。
【００４３】
子線状アーチの連結数については、第１子線状アーチ１１Ａの連結数を常に第２子線状アーチ１２Ａの連結数よりも多くする。
これにより第１子線状アーチ１１Ａの曲率（湾曲度合い）が第２子線状アーチ１２Ａの曲率（湾曲度合い）より小さくなる。
なお、複数本の子線状アーチからなる線状アーチ部の曲率とは、子線状アーチ一本の曲率のことを意味する。
【００４４】
上述した内容を踏まえ、次に弾圧部１の線状アーチ部の主な構成パターン例を示す。
図６は、線状アーチ部の数を変えた場合の弾圧部１の主な構成パターン例を模式的に示す図である。
なお、矩形部は結合基部を示す。
図６（Ａ）は、第１線状アーチ部１１が一本と第２線状アーチ部１２が一本とが互いに平行に並べられたパターン、図６（Ｂ）は、二本の第１線状アーチ部１１と一本の第２線状アーチ部１２とが交互に配設されたパターン、図６（Ｃ）は三本の第１線状アーチ部１１と二本の第２線状アーチ部１２とがそれぞれ交互に配設されたパターンを示している。
また図７は、線状アーチ部の材料を変えた場合の弾圧部１の主な構成パターン例を模式的に示す図である。
なお、図面上では材料の違いを線の太さの違いで示す。
【００４５】
図７（Ａ）は、第１線状アーチ部の材料と、第２線状アーチ部の材料とを互いに異にしたパターンを示している。
また図７（Ｂ）は、一部の第１子線状アーチのみ材料を異にしたパターンを示しており、弾圧部１におけるテンプル方向の弾力性に強弱を与えることができる。
【００４６】
上述したように、弾圧部１の構成パターンを様々に変化させることにより、弾圧部１の捻り方向及び曲げ方向の弾力性を変えることができ、着用者毎に最適な接圧を与えるテンプル、眼鏡を提供することができる。
【００４７】
（他の実施形態）
以上述べた実施の形態は、テンプルＡの弾圧部１が複数の線状アーチ部を備えており、これらが互いに間隔を置いて並んでいるものであるが、ここで述べる実施形態は、その線状アーチ部が中央部で結合されている例である。
尚、線状アーチ部の断面の形状は矩形の場合を示す。
【００４８】
図８は、この実施形態のテンプルの平面図であり、図９はテンプルの正面図である。
図９に示すように、テンプルＡにおいて、３本の線状アーチ部１０が互いに間隔を置いて（すなわち空間を介して）並んでいる。
そして各線状アーチ部１０は、それぞれ２個の子線状アーチ１０Ａを備えている。
そして線状アーチ部１０が中央部で結合されている。
この中央部にある結合部Ｐ１は子線状アーチ同士の結合する部分である結合基部Ｐとも兼用されている。
【００４９】
この実施形態では、テンプルＡが捻れた場合、この線状アーチ部間の間隔が縮まってテンプル１の中央部が細くなることが防止される
この実施の形態において、各線状アーチ部１０が結合されている結合部Ｐ１を複数個設けることも可能である。
その場合、結合部Ｐ１は子線状アーチ同士の結合する部分である結合基部Ｐと兼用される。
【００５０】
以上、本発明をその一実施形態を例に説明したが、本発明は上述した実施形態のみに限定されるものではなく、種々の変形が可能である。
例えば、上述した実施形態では全ての第１子線状アーチ（第２子線状アーチ）の曲率が等しい場合を示したが、第１子線状アーチ（第２子線状アーチ）の中での曲率がそれぞれの曲率（湾曲度合い）を異なる場合も当然可能である。
また、極端には子線状アーチの曲率は、極めて小さい場合も適用される。
一方、線状アーチを結合基部から取り外して交換できるようにすることにより、着用者自身がテンプルの捻れ具合や湾曲度合いを調整することが可能となる。
また、弾圧部は線状アーチ部よりなるため、その線状アーチ部の数や形、或いは結合基部が組み合わされて、テンプルに独特の装飾性を与えることができることも、本発明の大きな利点でもある。
【産業上の利用可能性】
【００５１】
本発明はテンプル、及びそのテンプルを備えるメガネの分野で利用できるものである。
本発明によれば、着用した場合、十分な弾力性を有する上、枢着部やレンズ部側のブラケットにも無理な力が加わることがないように捻れ対応できる。
そのためテンプル以外にもフロント、リム自体にも適用可能である。
【符号の説明】
【００５２】
Ａ…テンプル
Ｂ…レンズ部
Ｂ１…ブラケット
Ｐ…結合基部
Ｐ１…結合部
１…弾圧部
１０…第１線状アーチ部
１０Ａ…子線状アーチ
１１…第１線状アーチ部
１１Ａ…第１子線状アーチ
１２…第２線状アーチ部
１２Ａ…第２子線状アーチ
２Ａ、２Ｂ…取り付け基部
２…耳当て部
３…枢着部
【図１】
2010041465.tif 000003
【図２】
2010041465.tif 000004
【図３】
2010041465.tif 000005
【図４】
2010041465.tif 000006
【図５】
2010041465.tif 000007
【図６】
2010041465.tif 000008
【図７】
2010041465.tif 000009
【図８】
2010041465.tif 000010
【図９】
2010041465.tif 000011
【手続補正書】
【提出日】平成23年4月1日(2011.4.1)
【手続補正１】
【補正対象書類名】明細書
【補正対象項目名】全文
【補正方法】変更
【補正の内容】
【発明の詳細な説明】
【技術分野】
【０００１】
本発明はメガネの一部品であるテンプルに関する。
【背景技術】
【０００２】
一般的なメガネのフレームにあってはフルリムタイプのものや、ハーフリムタイプが存在する。
そして、それらの左右のレンズを取り付けるリムには、着用者の頭部の側部に当接し、メガネの位置を固定するためのテンプルが、リムに対して内方に回動可能に取り付けられている。
【０００３】
上記のように構成されているメガネフレームにあっては、最大拡開状態となったテンプルで着用者の頭部（詳しくは側頭面）の耳部付近を挟んで圧を加え、その位置を固定する。
このとき、着用者の使用中に強い締め付けや或いは逆の緩過ぎる締め付けを感じないように、主にテンプルを無理に屈曲して開き度合いを変えることにより、テンプルの頭部に対する圧を調節する。
【０００４】
しかしながら、一般的なテンプルの材料は、屈曲性があまり高くない合成樹脂や金属であるため、テンプルの開き度合いによる圧の調整には限界がある。
そのため、弾力性が十分に出なく、良好な着用者のソフトタッチな装着感が得られない。
【０００５】
このような問題を解決するために、テンプルとブラケットとの間に弾性部材を配置し、この弾性部材を弾性的に屈曲させることにより、側頭面に適度な大きさの圧を与えるメガネフレームが開発された（特許文献１参照）。
【０００６】
また別の形態のメガネフレームとして、特許文献２に記載されているように、テンプル（ツル）の内部に芯金部が設けられたものもある。
この芯金部は一部がＬ型に屈折しているため、弾力性のある屈曲が可能となり、この発明のテンプルは着用者に対して適度な側圧を加えることができる。
【先行技術文献】
【特許文献】
【０００７】
【特許文献１】特開２００７−３２２６０７号公報
【特許文献２】実用新案登録第３０９５０８２号公報
【発明の概要】
【発明が解決しようとする課題】
【０００８】
上述した特許文献に記載されたメガネフレームに備えられたテンプルは、着用者の側頭面に対して垂直な方向には所定の大きさの圧を加えることができる。
ところが人間の側頭面は平坦ではなく、上下方向及び前後方向にある角度を有しているため、側頭面に対して垂直な方向にテンプルが当たっても、片当たりしてしまい、その結果、分力が発生しテンプルには捻れ方向の力が生じることとなる。
しかし、テンプルがそれを吸収するように捻れるように対応しないので、結果的にこの捻れ力はテンプルの枢着部に伝わり回動抵抗を生む。
或いは枢着部を介してレンズ部側のブラケットにも無理な力が加わることとなる。
このような傾向は、テンプルの幅が広いほど大きい。
【０００９】
一方、テンプルは耳当て部の部分で耳に掛けられて固定されるが、耳当て部は下側と内側に立体的に湾曲した形状であることから、耳に掛けられた状態ではテンプルにやはり捻れ力が発生し、上述したと同様なことから枢着部やレンズ部側のブラケットにも無理な力が加わることとなる。
【００１０】
本発明は以上の課題を解決すべく開発されたものである。
すなわち、着用した場合、十分な弾力性を有する上、枢着部やレンズ部側のブラケットにも無理な力が加わることがないように捻れ対応できるテンプル、及びそのテンプルを備えるメガネを提供することを目的とする。
【課題を解決するための手段】
【００１１】
本発明者は、以上のような課題背景をもとに鋭意研究を重ねた結果、テンプルの一部である弾圧部を複数本の線材で構成することで上記の課題を解決できることを見出し、その知見に基づいて本発明を完成させたものである。
【００１２】
すなわち、本発明は、（１）、レンズ部に対する枢着部と耳当て部との間に弾圧部を有するメガネ用のテンプルであって、該弾圧部が複数の線状アーチ部を備えており、これらが互いに並んでいるテンプルに存する。
【００１３】
また本発明は、（２）、前記弾圧部が第１線状アーチ部と、該第１線状アーチ部よりも曲率の小さい第２線状アーチ部とよりなり、これらが互いに並んでいる上記（１）記載のテンプルに存する。
【００１４】
また本発明は、（３）、前記第１線状アーチ部が複数の第１子線状アーチを備え、前記第２線状アーチ部が複数の第２子線状アーチを備えている上記（２）記載のテンプルに存する。
【００１５】
また本発明は、（４）、第２線状アーチ部の数よりも前記第１線状アーチ部の数が１つ多い上記（２）記載のテンプルに存する。
【００１６】
また本発明は、（５）、前記第１線状アーチ部が複数個平行に並び、同様に第２線状アーチ部も複数個平行に並んでいる上記（２）記載のテンプルに存する。
【００１７】
また本発明は、（６）、前記第１線状アーチ部の間に第２線状アーチ部が配設されている上記（２）記載のテンプルに存する。
【００１８】
また本発明は、（７）、前記子線状アーチ同士の結合する部分である結合基部が球形に形成されている上記（３）記載のテンプルに存する。
【００１９】
また本発明は、（８）、前記線状アーチ部の断面の形状が円形、または矩形である上記（１）記載のテンプルに存する。
【００２０】
また本発明は、（９）、前記複数の線状アーチ部が中央部で一体に結合されている上記（１）記載のテンプルに存する。
【００２１】
また本発明は、（１０）、上記（１）〜（９）のいずれか一項に記載されているテンプルを備えるメガネに存する。
【００２２】
なお、本発明の目的に添ったものであれば上記の発明を適宜組み合わせた構成も採用可能である。
【発明の効果】
【００２３】
本発明のメガネ用テンプルが備える弾圧部は、複数の線状アーチ部を備えており、これらが互いに並んでいる。
そのためテンプルの捻れ方向に弾力性が発現し、テンプルに発生する捻り方向の無理な力が吸収される
また本発明のメガネ用テンプルが備える弾圧部は、曲率の異なる二種類の線材（第１線状アーチ部及び第２線状アーチ部）を複数本、並んで配置してなる。
その結果、このテンプルは線状アーチ部の形状によって曲げ弾力性の度合いを異にすることができる。
更に捻れ方向に弾力性が発現し、テンプルに発生する捻り方向の無理な力が吸収される。
そのため捻れ力はテンプルの枢着部やレンズ部側のブラケットに伝わらない。
【００２４】
また、上記アーチ部を複数本の短い線材（子線状アーチ）を結合して構成することによっても、アーチ部の弾力性を変化させることができる。
従って、アーチ部の曲率と併せて子線状アーチの本数を変えることで、側頭面に加わる圧の大きさの異なったテンプルを提供することができる。
【００２５】
また、複数本の子線状アーチからなるアーチ部は、子線状アーチが鉄やアルミ等の弾力性が高くない材料で形成されていても超弾性特性材料と同等、またはそれ以上の弾力性を発揮することが可能である。
【図面の簡単な説明】
【００２６】
【図１】図１は、本実施形態のテンプルを備えたメガネの全体を示す斜視図である。
【図２】図２は、本実施形態のテンプルの平面図である
【図３】図３は、本実施形態のテンプルの正面図である。
【図４】図４は、本実施形態のテンプルが捻じれる前後の状態を示す説明図であり、図４（Ａ）は捻じれる前を示し、図４（Ｂ）は捻じれた後を示す。
【図５】図５は、本実施形態のテンプルの湾曲前後の状態を示す説明図であり、図５（Ａ）は湾曲前を示し、図５（Ｂ）は湾曲後を示す。
【図６】図６は、線状アーチ部の数を変えた場合の弾圧部の主な構成パターン例を模式的に示す図である。  図６（Ａ）は、第１線状アーチ部が一本と第２線状アーチ部が一本とが互いに平行に並べられたパターン、図６（Ｂ）は、二本の第１線状アーチ部と一本の第２線状アーチ部とが交互に配設されたパターン、図６（Ｃ）は三本の第１線状アーチ部と二本の第２線状アーチ部とがそれぞれ交互に配設されたパターンを示す。
【図７】図７は、線状アーチ部の材料を変えた場合の弾圧部の主な構成パターン例を模式的に示す図である。  図７（Ａ）は、第１線状アーチ部の材料と、第２線状アーチ部の材料とを互いに異にしたパターンを示し、図７（Ｂ）は、一部の第１子線状アーチのみ材料を異にしたパターンを示す。
【図８】図８は、別の実施形態のテンプルの平面図である
【図９】図９は、別の実施形態のテンプルの正面図である。
【発明を実施するための形態】
【００２７】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２８】
（第１の実施形態）
図１は、本実施形態のテンプルを備えたメガネの全体を示す斜視図である。
図に示すように、本実施形態のテンプルＡは、レンズ部Ｂに対する枢着部と耳当て部２との間に弾圧部１を有するメガネ用のテンプルであって、該弾圧部１が複数の線状アーチ部を備えている。
各線状アーチ部は、互いに間隔を置いて（すなわち空間を介して）配設されている。
テンプルＡはこの弾圧部１を備えることにより、テンプルＡと側頭面との接触面（具体的には耳当て部２と側頭面のこめかみ周辺）に圧を加えてメガネの位置を的確に固定することができる。
テンプルＡはレンズ部Ｂ、具体的にはレンズの両端部に設けられたブラケットＢ１に回動自在に枢着され、またテンプルＡの後端部には頭への固定力を高めるための耳当て部２が取り付けられている。
レンズ部Ｂに対する枢着部３と耳当て部２との間に弾圧部１は位置している。
【００２９】
図２は、本実施形態のテンプルの平面図であり、図３は、本実施形態のテンプルの正面図である。
図２及び図３に示すように、弾圧部１は金属製の線材である第１線状アーチ部１１と第２線状アーチ部１２とがそれぞれ間隔を置いて複数本並んで配置されている。
また第１線状アーチ部１１と第２線状アーチ部１２は一定の間隔を置いて配設された取り付け基部２Ａと取り付け基部２Ｂの間に架設されている。
換言すると第１線状アーチ部１１や第２線状アーチ部１２の両端は取り付け基部２Ａ及び取り付け基部２Ｂとなっている。
そして、各線状アーチ部を構成する子線状アーチは、図でいう鉛直方向にそれぞれ湾曲した状態となっている。
【００３０】
このように、取り付け基部２Ａ、２Ｂの間に複数本の線材が架設されてなる弾圧部１は、空間部が多くなるため、この弾圧部１と同じ幅の金属板と比べた場合、金属板よりも捻れ方向の弾力性が高くなり（すなわち捻れ易くなり）、且つ曲げ方向の弾力性も高くなる（すなわち曲がり易くなる）。
【００３１】
弾圧部１が複数本の線材で構成されることによって各線材の全体が束となり、捻れ方向の大きな弾力性が生まれる。
図４に示すように、テンプルＡを捻った際に、この弾圧部１のところにおいて各線材が束となって全体的に捻じれる〔図４（Ａ）→図４（Ｂ）〕。
【００３２】
捻れ方向の弾力性が高くなることによって、テンプルＡは側頭面の形状に的確に対応することができる。
このため、テンプルＡが着用者の側頭面に当接した際に発生する捻じれ方向の無理な力が、この屈曲変形によって吸収される。
従って、テンプルＡとブラケットＢ１との結合部である枢着部３や、ブラケットＢ１には無理な力が伝わり難い。
また、テンプルＡ（詳しくは弾圧部１）が捻れて変形すると、変形後の形状は着用者の側頭面の形状にほぼ沿ったものとなるため、側頭面に対して均等に側圧が加わる。
その結果、メガネの装着感が良くなるのである。
【００３３】
一方、曲げ方向の弾力性が高くなることで、メガネが装着されたときに、図５に示すように、弾圧部１は容易にアーチ状に大きく湾曲することが可能となる〔図５（Ａ）→図５（Ｂ）〕。側頭面にソフトにタッチすることができるのである。
【００３４】
弾圧部１は第１線状アーチ部１１及び第２線状アーチ部１２の曲率（湾曲度合い）の異なる二種類の線材からなっており、第１線状アーチ部１１の曲率は第２線状アーチ部１２の曲率よりも大きくなっている。
【００３５】
弾圧部１の捻れ方向の弾力性、及び曲げ方向の弾力性は、取り付ける第１線状アーチ部１１及び第２線状アーチ部１２の本数、各線状アーチ部の曲率を変えることにより、細かく調節することができる。
例えば、線状アーチ部の本数を増やすと各方向とも弾力性は低くなり曲げにくく且つ捻り難くなり、逆に線状アーチ部の本数を減らすと弾力性は大きくなり曲げやすく且つ捻り易くなる。
また、線状アーチ部の曲率を大きくするとテンプルＡの可動範囲は大きくなり、逆に線状アーチ部の曲率を小さくするとテンプルＡの可動範囲は小さくなる。
なお、弾圧部１を構成するためには、少なくとも、第１線状アーチ部１１及び第２線状アーチ部１２が各一本ずつ必要となる。
【００３６】
従って、これらを適切に選択することで、着用者の側頭面に対して締め過ぎず、且つ緩過ぎない最適な大きさの接圧を加えることができる。
テンプルＡが、頭の形状に即して変形し、従来のメガネよりも心地よい装着感が得られる。
【００３７】
このとき、第１線状アーチ部１１の間に第２線状アーチ部１２が配設されるように、第１線状アーチ部１１と、第２線状アーチ部１２とを交互に配設することが好ましい。
第１線状アーチ部１１と第２線状アーチ部１２とを交互に配設することで弾圧部１の弾力性に偏りがなくなる。
【００３８】
また、弾圧部１を形成する際は、第１線状アーチ部１１と第２線状アーチ部１２とは等間隔で配設されることが好ましい。
しかし敢えて間隔を変えて配置することにより捻れ方向の弾力性に異方性を与えることができる。
すなわち、テンプルＡに捻れ易い方向と捻れ難い方向とが現れる。
【００３９】
さらに、弾圧部１を構成する第１線状アーチ部１１及び第２線状アーチ部１２のそれぞれの取り付け本数は特に限定されるものではないが、第２線状アーチ部１２の本数よりも第１子線状アーチ１１の本数を一本多くすることで、第１線状アーチ部１１よりも曲率の小さい第２線状アーチ部１２（凹凸が大きい）を内側に配置できる。
【００４０】
第１線状アーチ部１１及び第２線状アーチ部１２断面形状は特に限定されるものではなく、円形、矩形、三角形、楕円等の断面形状を有する線材の使用が可能である。
断面形状によって、各方向に対する弾力性も変化するため、アーチ部の本数等だけでなく断面形状も同時に考慮することで、より適切な接圧を実現することができる。
【００４１】
ところで、弾圧部１の弾力性は線状アーチ部の構成を変更することでも変えることができる。
本実施形態の第１線状アーチ部１１は図１に示したように、複数本の第１子線状アーチ１１Ａで構成されており、また第２線状アーチ部１２も同様に複数本の第２子線状アーチ１２Ａで構成されている。
第１線状アーチ部１１及び第２線状アーチ部１２をこのような形状にして、湾曲させながら取り付け基部に取り付けることで、超弾性特性材料以外の材料で成形された鉄やアルミ等のアーチ部であっても、超弾性特性と同等若しくはそれを超える弾力性を付与できる。
【００４２】
子線状アーチ同士は、溶接、ろう付等により結合されるが、その結合部分である結合基部Ｐの形状は、限定されない。
ただ、肌への接触感の観点から球形が好ましいが、装飾性の観点からは、円柱、長円球、立方体等の採用も可能である。
【００４３】
子線状アーチの連結数については、第１子線状アーチ１１Ａの連結数を常に第２子線状アーチ１２Ａの連結数よりも多くする。
これにより第１子線状アーチ１１Ａの曲率（湾曲度合い）が第２子線状アーチ１２Ａの曲率（湾曲度合い）より小さくなる。
なお、複数本の子線状アーチからなる線状アーチ部の曲率とは、子線状アーチ一本の曲率のことを意味する。
【００４４】
上述した内容を踏まえ、次に弾圧部１の線状アーチ部の主な構成パターン例を示す。
図６は、線状アーチ部の数を変えた場合の弾圧部１の主な構成パターン例を模式的に示す図である。
なお、矩形部は結合基部を示す。
図６（Ａ）は、第１線状アーチ部１１が一本と第２線状アーチ部１２が一本とが互いに平行に並べられたパターン、図６（Ｂ）は、二本の第１線状アーチ部１１と一本の第２線状アーチ部１２とが交互に配設されたパターン、図６（Ｃ）は三本の第１線状アーチ部１１と二本の第２線状アーチ部１２とがそれぞれ交互に配設されたパターンを示している。
また図７は、線状アーチ部の材料を変えた場合の弾圧部１の主な構成パターン例を模式的に示す図である。
なお、図面上では材料の違いを線の太さの違いで示す。
【００４５】
図７（Ａ）は、第１線状アーチ部の材料と、第２線状アーチ部の材料とを互いに異にしたパターンを示している。
また図７（Ｂ）は、一部の第１子線状アーチのみ材料を異にしたパターンを示しており、弾圧部１におけるテンプル方向の弾力性に強弱を与えることができる。
【００４６】
上述したように、弾圧部１の構成パターンを様々に変化させることにより、弾圧部１の捻り方向及び曲げ方向の弾力性を変えることができ、着用者毎に最適な接圧を与えるテンプル、眼鏡を提供することができる。
【００４７】
（他の実施形態）
以上述べた実施の形態は、テンプルＡの弾圧部１が複数の線状アーチ部を備えており、これらが互いに間隔を置いて並んでいるものであるが、ここで述べる実施形態は、その線状アーチ部が中央部で結合されている例である。
尚、線状アーチ部の断面の形状は矩形の場合を示す。
【００４８】
図８は、この実施形態のテンプルの平面図であり、図９はテンプルの正面図である。
図９に示すように、テンプルＡにおいて、３本の線状アーチ部１０が互いに間隔を置いて（すなわち空間を介して）並んでいる。
そして各線状アーチ部１０は、それぞれ２個の子線状アーチ１０Ａを備えている。
そして線状アーチ部１０が中央部で結合されている。
この中央部にある結合部Ｐ１は子線状アーチ同士の結合する部分である結合基部Ｐとも兼用されている。
【００４９】
この実施形態では、テンプルＡが捻れた場合、この線状アーチ部間の間隔が縮まってテンプル１の中央部が細くなることが防止される
この実施の形態において、各線状アーチ部１０が結合されている結合部Ｐ１を複数個設けることも可能である。
その場合、結合部Ｐ１は子線状アーチ同士の結合する部分である結合基部Ｐと兼用される。
【００５０】
以上、本発明をその一実施形態を例に説明したが、本発明は上述した実施形態のみに限定されるものではなく、種々の変形が可能である。
例えば、上述した実施形態では全ての第１子線状アーチ（第２子線状アーチ）の曲率が等しい場合を示したが、第１子線状アーチ（第２子線状アーチ）の中での曲率がそれぞれの曲率（湾曲度合い）を異なる場合も当然可能である。
また、極端には子線状アーチの曲率は、極めて小さい場合も適用される。
一方、線状アーチを結合基部から取り外して交換できるようにすることにより、着用者自身がテンプルの捻れ具合や湾曲度合いを調整することが可能となる。
また、弾圧部は線状アーチ部よりなるため、その線状アーチ部の数や形、或いは結合基部が組み合わされて、テンプルに独特の装飾性を与えることができることも、本発明の大きな利点でもある。
【産業上の利用可能性】
【００５１】
本発明はテンプル、及びそのテンプルを備えるメガネの分野で利用できるものである。
本発明によれば、着用した場合、十分な弾力性を有する上、枢着部やレンズ部側のブラケットにも無理な力が加わることがないように捻れ対応できる。
そのためテンプル以外にもフロント、リム自体にも適用可能である。
【符号の説明】
【００５２】
Ａ…テンプル
Ｂ…レンズ部
Ｂ１…ブラケット
Ｐ…結合基部
Ｐ１…結合部
１…弾圧部
１０…線状アーチ部
１０Ａ…子線状アーチ
１１…第１線状アーチ部
１１Ａ…第１子線状アーチ
１２…第２線状アーチ部
１２Ａ…第２子線状アーチ
２Ａ、２Ｂ…取り付け基部
２…耳当て部
３…枢着部
【手続補正書】
【提出日】平成23年11月25日(2011.11.25)
【手続補正１】
【補正対象書類名】明細書
【補正対象項目名】特許請求の範囲
【補正方法】変更
【補正の内容】
【特許請求の範囲】
【請求項１】  
レンズ部に対する枢着部と耳当て部との間に弾圧部を有するメガネ用のテンプルであって、該弾圧部が複数の線状アーチ部を備えており、これら複数の線状アーチ部が互いに間隔を置いて並んで配設されていることを特徴とするテンプル。
【請求項２】  
前記複数の線状アーチ部が、テンプルの回動方向に湾曲していることを特徴とする、請求項１記載のテンプル。
【請求項３】  
前記弾圧部の複数の線状アーチ部が第１線状アーチ部と、該第１線状アーチ部よりも曲率の小さい第２線状アーチ部とよりなることを特徴とする請求項１記載のテンプル。
【請求項４】  
前記第１線状アーチ部が複数の第１子線状アーチを備え、前記第２線状アーチ部が複数の第２子線状アーチを備えていることを特徴とする請求項３記載のテンプル。
【請求項５】  
前記第２線状アーチ部の数よりも前記第１線状アーチ部の数が１つ多いことを特徴とする請求項３記載のテンプル。
【請求項６】  
前記第１線状アーチ部が複数個平行に並び、同様に第２線状アーチ部も複数個平行に並んでいることを特徴とする請求項３記載のテンプル。
【請求項７】  
前記第１線状アーチ部の間に第２線状アーチ部が配設されていることを特徴とする請求項３記載のテンプル。
【請求項８】  
前記子線状アーチ同士の結合する部分である結合基部が球形に形成されていることを特徴とする請求項４記載のテンプル。
【請求項９】  
前記線状アーチ部の断面の形状が円形、または矩形であることを特徴とする請求項１記載のテンプル。
【請求項１０】
前記複数の線状アーチ部が中央部で一体に結合されていることを特徴とする請求項１記載のテンプル。
【請求項１１】
上記請求項１〜１０のいずれか一項に記載されているテンプルを備えるメガネ。
【手続補正２】
【補正対象書類名】明細書
【補正対象項目名】００１２
【補正方法】変更
【補正の内容】
【００１２】
すなわち、本発明は、（１）、レンズ部に対する枢着部と耳当て部との間に弾圧部を有するメガネ用のテンプルであって、該弾圧部が複数の線状アーチ部を備えており、これら線状アーチ部が互いに間隔を置いて並んで配設されているテンプルに存する。
【手続補正３】
【補正対象書類名】明細書
【補正対象項目名】００１３
【補正方法】変更
【補正の内容】
【００１３】
また本発明は、（２）、前記複数の線状アーチ部が、テンプルの回動方向に湾曲している上記（１）載のテンプルに存する。
また本発明は、（３）、前記弾圧部の複数の線状アーチ部が第１線状アーチ部と、該第１線状アーチ部よりも曲率の小さい第２線状アーチ部とよりなる上記（１）記載のテンプルに存する。
【手続補正４】
【補正対象書類名】明細書
【補正対象項目名】００１４
【補正方法】変更
【補正の内容】
【００１４】
また本発明は、（４）、前記第１線状アーチ部が複数の第１子線状アーチを備え、前記第２線状アーチ部が複数の第２子線状アーチを備えている上記（３）記載のテンプルに存する。
【手続補正５】
【補正対象書類名】明細書
【補正対象項目名】００１５
【補正方法】変更
【補正の内容】
【００１５】
また本発明は、（５）、前記第２線状アーチ部の数よりも前記第１線状アーチ部の数が１つ多い上記（３）記載のテンプルに存する。
【手続補正６】
【補正対象書類名】明細書
【補正対象項目名】００１６
【補正方法】変更
【補正の内容】
【００１６】
また本発明は、（６）、前記第１線状アーチ部が複数個平行に並び、同様に第２線状アーチ部も複数個平行に並んでいる上記（３）記載のテンプルに存する。
【手続補正７】
【補正対象書類名】明細書
【補正対象項目名】００１７
【補正方法】変更
【補正の内容】
【００１７】
また本発明は、（７）、前記第１線状アーチ部の間に第２線状アーチ部が配設されている上記（３）記載のテンプルに存する。
【手続補正８】
【補正対象書類名】明細書
【補正対象項目名】００１８
【補正方法】変更
【補正の内容】
【００１８】
また本発明は、（８）、前記子線状アーチ同士の結合する部分である結合基部が球形に形成されている上記（４）記載のテンプルに存する。
【手続補正９】
【補正対象書類名】明細書
【補正対象項目名】００１９
【補正方法】変更
【補正の内容】
【００１９】
また本発明は、（９）、前記線状アーチ部の断面の形状が円形、または矩形である（１）記載のテンプルに存する。
【手続補正１０】
【補正対象書類名】明細書
【補正対象項目名】００２０
【補正方法】変更
【補正の内容】
【００２０】
また本発明は、（１０）、前記複数の線状アーチ部が中央部で一体に結合されている上記（１）記載のテンプルに存する。
【手続補正１１】
【補正対象書類名】明細書
【補正対象項目名】００２１
【補正方法】変更
【補正の内容】
【００２１】
また本発明は、（１１）、上記請求項１〜１０のいずれか一項に記載されているテンプルを備えるメガネに存する。
【国際調査報告】
2010041465.tif 000012
2010041465.tif 000013